(57)【要約】      （修正有）【課題】正方向と反対方向のどちらにも挿入可能な電気コネクタを提供する。【解決手段】電気コネクタは、印刷回路基板、絶縁本体、第一端子、第二端子及び金属カバーを含む。絶縁本体は基部と基部の先端に位置する舌部とを含む。第一端子は、順に接続される第一接触部、第一連結部、第一湾曲部及び第一半田付け部を含む。第二端子は、順に接続される第二接触部、第二連結部、第二湾曲部及び第二半田付け部を含み、第二接触部と第一接触部はいずれも舌部に固定され、第一半田付け部と第二半田付け部は印刷回路基板に半田付けられ、第一湾曲部と第二湾曲部は基部と舌部との間に設けられる。金属カバーは絶縁本体の外部に固定され、舌部と金属カバーとの間には同様の２つの挿入空間が形成される。【選択図】図７
0003206580.tif 000002
【実用新案登録請求の範囲】
【請求項１】
印刷回路基板、絶縁本体、第一端子、第二端子及び金属カバーを含む電気コネクタであって、
前記絶縁本体は、基部と該基部の先端に位置する舌部とを含み、
前記第一端子は、順に接続される第一接触部、第一連結部、第一湾曲部及び第一半田付け部を含み、
前記第二端子は、順に接続される第二接触部、第二連結部、第二湾曲部及び第二半田付け部含み、
前記第二接触部と第一接触部はいずれも前記舌部に固定され、前記第一半田付け部と第二半田付け部は前記印刷回路基板に半田付けられ、前記第一湾曲部と第二湾曲部は基部と舌部との間に非接触的に跨り、
前記金属カバーは絶縁本体の外部に固定され、前記舌部と前記金属カバーとの間には同様の２つの挿入空間が形成されることを特徴とする電気コネクタ。
【請求項２】
前記第一湾曲部の湾曲方向と第二湾曲部の湾曲方向は反対であることを特徴とする請求項１に記載の電気コネクタ。
【請求項３】
前記第一湾曲部は第一湾曲と第二湾曲とを含み、前記第二湾曲部は第三湾曲と第四湾曲とを含み、
前記第一湾曲は第三湾曲に対応し、前記第二湾曲は第四湾曲に対応し、前記第一湾曲は第二端子から離れる方向に湾曲し、前記第二湾曲は第二端子に近づく方向に湾曲し、前記第三湾曲は第一端子から離れる方向に湾曲し、前記第四湾曲は第一端子に近づく方向に湾曲することを特徴とする請求項１に記載の電気コネクタ。
【請求項４】
前記第一湾曲、第二湾曲、第三湾曲及び第四湾曲の形状はいずれも円弧形であり、前記第一湾曲は第二湾曲と直接に接続され、前記第三湾曲は第四湾曲と直接に接続されるか或いは、
前記第一湾曲部は第一ストレート部を更に含み、前記第一湾曲と第二湾曲は前記第一ストレート部によって接続され、前記第二湾曲部は第二ストレート部を更に含み、前記第三湾曲と第四湾曲は第二ストレート部によって接続されることを特徴とする請求項３に記載の電気コネクタ。
【請求項５】
前記基部の先端には対向する２つの側壁が延在しており、
前記舌部は平板部と該平板部から延伸する延伸部とを含み、前記延伸部は前記対向する２つの側壁の間に設けられ、
前記延伸部の幅は前記平板部の幅より狭く、前記延伸部の厚さは前記平板部の厚さより薄いことを特徴とする請求項１に記載の電気コネクタ。
【請求項６】
前記舌部の前端には前記２つの挿入空間にそれぞれ延伸した第一突出部と第二突出部が形成されていることを特徴とする請求項１に記載の電気コネクタ。
【請求項７】
前記舌部の後端には前記挿入空間に延伸した止め板が形成され、
前記止め板の数量は二個であってそれぞれ第一止め板と第二止め板であり、
前記第一止め板は、舌部の一面から前記２つの挿入空間のうち一方に延伸して形成されるものであり、前記第二止め板は、舌部の他面から前記２つの挿入空間のうち他の１つに延伸して形成されるものであることを特徴とする請求項６に記載の電気コネクタ。
【請求項８】
前記第一止め板の上部及び第二止め板の上部と金属カバーの内面との間の距離は1ｍｍより小さいことを特徴とする請求項７に記載の電気コネクタ。
【請求項９】
前記電気コネクタは印刷回路基板を更に含み、
前記印刷回路基板には接続区域が設けられ、前記第一半田付け部と第二半田付け部はいずれも前記接続区域に半田付けられ、
前記印刷回路基板には接地区域が更に設けられ、
前記金属カバーには接地脚部が形成され、前記接地脚部は前記接地区域２６１に接続されていることを特徴とする請求項７に記載の電気コネクタ。
【考案の詳細な説明】
【技術分野】
【０００１】
本考案は、コネクタ技術に関し、特に電気コネクタに関するものである。
【背景技術】
【０００２】
現在、常用する電気コネクタはＵＳＢコネクタである。ＵＳＢコネクタはＵＳＢソケットとＵＳＢプラグで構成される。ＵＳＢコネクタには誤挿入防止構造が設けられている。すなわち、ＵＳＢソケットとＵＳＢプラグとの間の方向対応が正確であるときのみ、ＵＳＢプラグをＵＳＢソケットに挿入することができる。しかしながら、ユーザーがＵＳＢコネクタを用いるとき、通常ＵＳＢプラグの方向を確認せず、ＵＳＢプラグをＵＳＢソケットに挿入し、挿入時の手応えによってＵＳＢソケットとＵＳＢプラグとの間の方向対応が正確であるかどうかを感知する。ＵＳＢソケットの方向が正確でない場合、ＵＳＢプラグの方向を変化させなければならないので、使用上の利便性がよくない。
【考案の概要】
【考案が解決しようとする課題】
【０００３】
本考案の目的は、電気コネクタの正方向と反対方向での挿入が何れも許される電気コネクタを提供することにある。
【課題を解決するための手段】
【０００４】
上述した問題を解決するため、本考案は次の電気コネクタを提供する。本考案の電気コネクタは、印刷回路基板、絶縁本体、第一端子、第二端子及び金属カバーを含む。前記絶縁本体は、基部と該基部の先端に位置する舌部とを含む。前記第一端子は、順に接続される第一接触部、第一連結部、第一湾曲部及び第一半田付け部を含む。前記第二端子は、順に接続される第二接触部、第二連結部、第二湾曲部及び第二半田付け部を含み、前記第二接触部と第一接触部はいずれも舌部に固定され、前記第一半田付け部と第二半田付け部は前記印刷回路基板に半田付けられ、前記第一湾曲部と第二湾曲部は基部と舌部との間に非接触的に跨る。前記金属カバーは絶縁本体の外部に固定され、前記舌部と金属カバーとの間には同様の２つの挿入空間が形成される。
【０００５】
前記第一湾曲部の湾曲方向と第二湾曲部の湾曲方向は反対である。
【０００６】
前記第一湾曲部は第一湾曲と第二湾曲を含み、前記第二湾曲部は第三湾曲と第四湾曲を含む。前記第一湾曲は第三湾曲に対応し、前記第二湾曲は第四湾曲に対応し、前記第一湾曲は第二端子から離れる方向に湾曲し、前記第二湾曲は第二端子に近づく方向に湾曲し、前記第三湾曲は第一端子から離れる方向に湾曲し、前記第四湾曲は第一端子に近づく方向に湾曲する。
【０００７】
前記第一湾曲、第二湾曲、第三湾曲及び第四湾曲の形状はいずれも円弧形であり、前記第一湾曲は第二湾曲と直接に接続され、前記第三湾曲は第四湾曲と直接に接続される。或いは、前記第一湾曲部は第一ストレート部を更に含み、前記第一湾曲と第二湾曲は前記第一ストレート部によって接続され、前記第二湾曲部は第二ストレート部を更に含み、前記第三湾曲と第四湾曲は第二ストレート部によって接続される。
【０００８】
前記基部の先端には対向する２つの側壁が延在している。前記舌部は平板部と該平板部から延伸する延伸部とを含み、前記延伸部は前記対向する２つの側壁の間に設けられる。
【０００９】
前記延伸部の幅は平板部の幅より狭く、前記延伸部の厚さは平板部の厚さより薄い。
【００１０】
前記基部の後端には第一横部と第二横部が設けられている。前記印刷回路基板は前記第一横部と第二横部との間に位置し、前記第一横部と第二横部に挟まれて支持される。前記第一半田付け部と第二半田付け部は前記印刷回路基板上に半田付けられる。
【００１１】
前記第一横部と第二横部は位置が互いにずれており、前記印刷回路基板の一端は第一横部に当接する。
【００１２】
前記第一接触部には第一位置決め点が設けられ、前記第二接触部には第二位置決め点が設けられている。前記第一位置決め点と第二位置決め点は位置が互いにずれており、前記第一端子及び第二端子と絶縁本体とは一回の嵌め込み加工で組み立てられる。
【考案の効果】
【００１３】
本考案は次のような効果を奏することができる。従来の電気コネクタと異なり、本考案の電気コネクタにおいて、絶縁本体は金属カバーの内部に固定され、舌部と金属カバーとの間には同様の２つの挿入空間が形成される。第一端子の第一接触部と第二端子の第二接触部が舌部に固定され、第一端子の第一湾曲部と第二端子の第二湾曲部が基部と舌部との間に非接触的に跨ることにより、舌部の弾性が増加し、舌部が同様の２つの挿入空間に容易に曲がることができ、電気コネクタの正方向と反対方向での挿入は何れも許される。
【図面の簡単な説明】
【００１４】
【図１】本考案の実施例に係る電気コネクタを示す斜視図である。
【図２】本考案の実施例に係る電気コネクタを示す他方向の図である。
【図３】本考案の実施例に係る電気コネクタの第一端子と第二端子を示す斜視図である。
【図４】本考案の実施例に係る電気コネクタにおいて、絶縁本体と印刷回路基板が分離されている状態を示す斜視図である。
【図５】本考案の実施例に係る電気コネクタにおいて、印刷回路基板が絶縁本体に組み立てられている状態を示す斜視図である。
【図６】本考案の実施例に係る電気コネクタにおいて、第一端子、第二端子及び印刷回路基板が絶縁本体に組み立てられている状態を示す斜視図である。
【図７】本考案の実施例に係る電気コネクタにおいて、第一端子、第二端子及び印刷回路基板が絶縁本体に組み立てられている状態を示す他方向の斜視図である。
【図８】本考案の実施例に係る電気コネクタにおいて、第一端子、第二端子及び印刷回路基板が絶縁本体に組み立てられている状態を示すまた他方向の図である。
【図９】本考案の実施例に係る電気コネクタにおいて、第一湾曲部の第一湾曲、第二湾曲部の第三湾曲がいずれも円弧形であることを示す側面図である。
【図１０】本考案の実施例に係る電気コネクタにおいて、第一湾曲部の第一湾曲及び第二湾曲と第二湾曲部の第三湾曲及び第四湾曲の上部の形状がいずれも円弧形であり、第一湾曲及び第二湾曲の側壁の形状がストレートパネル状であることを示す斜視図である。
【図１１】本考案の実施例に係る電気コネクタにおいて、第一湾曲部の第一湾曲及び第二湾曲と第二湾曲部の第三湾曲及び第四湾曲の上部の形状がいずれも円弧形であり、第一湾曲及び第二湾曲の側壁の形状がストレートパネル状であることを示す断面図である。
【図１２】本考案の電気コネクタの第二実施例を示す斜視図である。
【図１３】本考案の電気コネクタの第二実施例を示す斜視図である。
【図１４】本考案の電気コネクタの第二実施例を示す斜視図である。
【図１５】本考案の電気コネクタの第二実施例を示す斜視図である。
【図１６】本考案の電気コネクタの第二実施例を示す斜視図である。
【考案を実施するための形態】
【００１５】
本考案をより詳細に理解してもらうため、以下本考案の図面と具体的な実施例により、本考案をより詳細に説明する。注意されたいことは、所定の部品が他の部品に「固定される」ということは、所定の部品が他の部品に直接固定されるか、或いは１個または複数個の部品を介して間接に固定されることを意味する。同様に、所定の部品が他の部品に「接続される」ということは、所定の部品が他の部品に直接接続されるか、或いは１個または複数個の部品を介して間接に接続されることを意味する。本考案に記載されている「垂直」、「水平」、「左」、「右」という用語或いはこれらに類似する用語は、図面の方向を示すものであるが、本考案を限定するものでない。
【００１６】
特別な説明がない場合、本考案の明細書に記載されている技術用語と科学用語の意味は、本技術分野の一般の技術者が常識的に把握しているものを意味する。また、本考案の明細書に記載されている用語は、本考案の具体的な実施例を説明するためのものであるが、本考案を限定するものでない。本明細書に記載されている「及び／又は」という用語は、挙げられる１個または複数の関連アイテムのあらゆる組合せを含む。
【００１７】
図１〜図８を参照すると、電気コネクタ２０は、印刷回路基板２１、絶縁本体２２、第一端子２３、第二端子２４及び金属カバー２５を含む。
【００１８】
絶縁本体２２は、基部２２１と、該基部２２１の先端に位置する舌部２２２とを含む。第一端子２３は、順に接続される第一接触部２３１、第一連結部２３２、第一湾曲部２３３及び第一半田付け部２３４を含む。第二端子２４は、順に接続される第二接触部２４１、第二連結部２４２、第二湾曲部２４３及び第二半田付け部２４４を含む。第一接触部２３１と第二接触部２４１はいずれも舌部２２２に固定され、第一半田付け部２３４と第二半田付け部２４４は印刷回路基板２１に半田付けられ、第一湾曲部２３３と第二湾曲部２４３は基部２２１と舌部２２２との間に非接触的に跨っている。金属カバー２５は絶縁本体２２の外部に固定され、舌部２２２と金属カバー２５との間には同様の２つの挿入空間２５１が形成される。第一湾曲部２３３と第二湾曲部２４３が基部２２１と舌部２２２との間に非接触的に跨っていることにより、舌部２２２の弾性を増加させ、舌部２２２を容易に弾性変形させることができる。また、舌部２２２と金属カバー２５との間に同様の２つの挿入空間２５１が形成され、舌部２２２は同様の２つの挿入空間２５１の間に位置するので、他の電気コネクタが挿入空間２５１に挿入されるとき、舌部２２２は任意の１つの挿入空間に曲がることにより、電気コネクタ２０の正方向と反対方向での挿入のいずれも実現することができる。
【００１９】
注意されたいことは、第一接触部２３１、第一連結部２３２、第一湾曲部２３３及び第一半田付け部２３４がそれぞれ、第二接触部２４１、第二連結部２４２、第二湾曲部２４３及び第二半田付け部２４４に対応することである。本実施例において、第一湾曲部２３３の湾曲方向と第二湾曲部２４３の湾曲方向は反対である。他の実施例において、第一湾曲部２３３と第二湾曲部２４３のそれぞれに複数の湾曲が形成され、第一湾曲部２３３の各湾曲の湾曲方向と対応する第二湾曲部２４３の湾曲の湾曲方向が互いに反対になるような構成としてもよい。例えば、第一湾曲部２３３は第一湾曲２３３１と第二湾曲２３３２を含み、第二湾曲部２４３は第三湾曲２４３１と第四湾曲２４３２を含み、第一湾曲２３３１は第三湾曲２４３１に対応し、第二湾曲２３３２は第四湾曲２４３２に対応する。また、第一湾曲２３３１は第二端子から離れる方向に湾曲し、第二湾曲２３３２は第二端子に近づく方向に湾曲し、第三湾曲２４３１は第一端子から離れる方向に湾曲し、第四湾曲２４３２は第一端子に近づく方向に湾曲する。本実施例において、図９に示すように、第一湾曲２３３１、第二湾曲２３３２、第三湾曲２４３１及び第四湾曲２４３２の形状はいずれも円弧形である。また、第一湾曲２３３１と第二湾曲２３３２とは直接に接続され、かつ第三湾曲２４３１と第四湾曲２４３２とは直接に接続されることにより、第一湾曲部２３３も第二湾曲部２４３も「Ｓ」形効果を奏する。または、図１０と図１１に示すとおり、第一湾曲部２３３は第一ストレート部を更に含み、第二湾曲部２４３は第二ストレート部を更に含み、第一湾曲２３３１と第二湾曲２３３２が第一ストレート部によって接続され、第三湾曲２４３１と第四湾曲２４３２が第二ストレート部によって接続されるようにしてもよい。なお、第一湾曲２３３１、第二湾曲２３３２、第三湾曲２４３１及び第四湾曲２４３２の形状はいずれも円弧形であってもよい。
【００２０】
基部２２１の先端には対向する２つの側壁２２１１が延在している。舌部２２２は、平板部２２２２と、該平板部２２２２から延伸する延伸部２２２１とを含む。延伸部２２２１は対向する２つの側壁２２１１の間に設けられる。本実施例において、延伸部２２２１の幅が平板部２２２２の幅より狭く、延伸部２２２１の厚さが平板部２２２２の厚さより薄いことが好ましい。
【００２１】
基部２２１の後端には第一横部２２１２と第二横部２２１３が設けられている。印刷回路基板２１は、第一横部２２１２と第二横部２２１３との間に位置し、第一横部２２１２と第二横部２２１３に挟まれて支持されることにより基部２２１上に固定される。第一半田付け部２３４と第二半田付け部２４４は印刷回路基板２１上に半田付けられる。本実施例において、第一横部２２１２と第二横部２２１３は位置が互いにずれており、印刷回路基板２１は第一横部２２１２に当接する。
【００２２】
第一接触部２３１には第一位置決め点２３１５が設けられ、第二接触部２４１には第二位置決め点が設けられている。第一位置決め点と第二位置決め点は、電気コネクタ２０を製造するとき、位置を決める作用がある。本実施例において、第一位置決め点と第二位置決め点は位置が互いにずれている。
【００２３】
図１２〜図１６は第二実施例を示す構造図である。舌部２２２の前端には２つの挿入空間にそれぞれ延伸した第一突出部２２２１と第二突出部２２２２が形成されている。第一突出部２２２１が第一端子２３と金属カバー２５との間に位置することにより、舌部２２２が第一端子２３側に移動するとき、第一突出部２２２１は、第一端子２３と金属カバー２５との間の間隔を確保する作用を奏し、第一端子２３と金属カバー２５との間の耐圧距離を増加させ、かつ印刷回路基板２１の挿入／抜出力と第一端子２３の正方向作用力を増加させることができる。同様に、第二突出部２２２２が第二端子２４と金属カバー２５との間に位置することにより、舌部２２２が第二端子２４側に移動するとき、第二突出部２２２２は、第二端子２４と金属カバー２５との間の間隔を確保する作用を奏し、第二端子２４と金属カバー２５との間の耐圧距離を増加させ、かつ印刷回路基板２１の挿入／抜出力と第二端子２４の正方向作用力を増加させることができる。
【００２４】
具体的に、第一突出部２２２１の数量は少なくとも二個であり、第一端子の第一接触部は少なくとも二個の第一突出部２２２１の間に位置する。すなわち、少なくとも二個の第一突出部２２２１はそれぞれ、第一端子の第一接触部の両側に配置される。第二突出部２２２２の数量は少なくとも二個であり、第二端子の第二接触部は少なくとも二個の第二突出部２２２２の間に位置する。
【００２５】
舌部２２２の後端には挿入空間２５１へ延伸した止め板２２２３が形成されている。止め板２２２３は、外部からの物品の侵入を防止し、外部からの物品と第一端子２３及び第二端子２４の露出部分とが直接に接触することを防止することができる。特に、外部からの物品が導電性物品である場合、例えば金属片である場合、金属片と複数の第一端子２３の露出部分または複数の第二端子２４の露出部分とが直接に接触することにより、第一端子２３または第二端子２４がショート状態になる恐れがある。また、止め板２２２３は、電気コネクタを正方向または反対方向に挿入するとき、舌部が過度に変化することも防止することができる。具体的に、止め板２２２３の数量は二個であり、それぞれ第一止め板と第二止め板である。第一止め板は、舌部２２２の一面から２つの挿入空間２５１のうち一方に延伸して形成されるものであり、第二止め板は、舌部２２２の他面から２つの挿入空間２５１のうち他方に延伸して形成されるものである。第一止め板と第二止め板はいずれも、金属カバーと接触していない。本実施形態では、第一止め板の頂上部及び第二止め板の頂上部と金属カバー２５の内面との間の距離はいずれも、1ｍｍより小さいことが好ましい。
【００２６】
電気コネクタ２１は印刷回路基板２６を更に含む。印刷回路基板２６には接続区域（図示せず）が設けられ、第一半田付け部と第二半田付け部はいずれも接続区域に半田付けられる。第一半田付け部と第二半田付け部が接続区域に半田付けられると、第一半田付け部及び第二半田付け部と印刷回路基板２６とは導電状態になる。金属カバー２５には金属カバーの静電気を迅速に除去するための接地脚部２５２が延伸している。印刷回路基板２６には接地区域２６１が更に設けられており、接地脚部２５２は接地区域２６１に接続される。接地脚部２５２と接地区域２６１によって金属カバーの導電通路が形成され、該導電通路によって金属カバー２５の静電気を迅速に除去することができる。
【００２７】
本考案の実施例において、絶縁本体は金属カバーの内部に固定され、舌部と金属カバーとの間には同様の２つの挿入空間が形成される。第一端子の第一接触部と第二端子の第二接触部が舌部に固定され、第一端子の第一湾曲部と第二端子の第二湾曲部が基部と舌部との間に非接触的に跨ることにより、舌部の弾性が増加し、舌部が同様の２つの挿入空間に容易に曲がることができ、電気コネクタの正方向と反対方向の挿入機能を実現することができる。
【００２８】
注意されたいことは、本考案の明細書及び図面によって本考案の好適な実施例を詳述してきたが、上述した実施例と異なる様々な実施例によっても本考案を実施することができ、本考案は上述した実施例の構成にのみ限定されるものでない。すなわち、上述した実施例は本考案を限定するものでなく、上述した実施例を提供することによって本考案の事項をより詳細に理解してもらうためのものに過ぎない。また、各実施例に複数の構成が含まれている場合には、特に記載がなくとも、これらの構成の可能な組合せも全て本実用新案の保護範囲であることは勿論である。本考案の範疇および技術思想の範囲内で種々の変更および修正が可能であることは当業者にとって明白なことであり、このような変形および修正が実用新案登録請求の範囲に属することも当然のことである。
【図１】
0003206580.tif 000003
【図２】
0003206580.tif 000004
【図３】
0003206580.tif 000005
【図４】
0003206580.tif 000006
【図５】
0003206580.tif 000007
【図６】
0003206580.tif 000008
【図７】
0003206580.tif 000009
【図８】
0003206580.tif 000010
【図９】
0003206580.tif 000011
【図１０】
0003206580.tif 000012
【図１１】
0003206580.tif 000013
【図１２】
0003206580.tif 000014
【図１３】
0003206580.tif 000015
【図１４】
0003206580.tif 000016
【図１５】
0003206580.tif 000017
【図１６】
0003206580.tif 000018